(57)【特許請求の範囲】
【請求項１】
食材を加熱する調理方法ごとに、調理機器の火力を減少させる制御方法を示す制御方法情報を記憶する記憶部と、
前記調理機器が食材を加熱する調理方法を実行中に前記調理機器を使用するユーザが第１の所定時間キッチンにいないことが検出された場合、前記記憶部から前記制御方法情報を読み出し、前記制御方法情報により示される制御方法の中から、前記調理機器で実行中の調理方法に対応する第１の制御方法を決定し、当該第１の制御方法を前記調理機器に実行させる制御部と、を備え、
前記制御部は、
前記ユーザがキッチンにいないことが検出された後の第２の所定時間内にキッチンにいることが検出された人物が前記ユーザであるか否かを判定し、
前記人物が前記ユーザではない場合、前記第１の制御方法を前記調理機器に実行させ、
前記人物が前記ユーザである場合、前記第１の制御方法を前記調理機器に実行させない、
火力制御装置。
【請求項２】
前記第１の所定時間は、前記調理方法によりなされる調理の所要時間として予め定められた値である、
請求項１記載の火力制御装置。
【請求項３】
前記制御部は、
前記第１の制御方法が実行された後、前記ユーザがキッチンにいることが検出された場合、前記実行中の調理方法に対応して予め定められた火力に戻す第２の制御方法を前記調理機器に実行させる、
請求項１記載の火力制御装置。
【請求項４】
前記制御部は、
前記第１の制御方法が実行された後でキッチンにいることが検出された人物が前記ユーザであるか否かを判定し、
前記人物が前記ユーザではない場合、前記第１の制御方法の実行を維持し、
前記人物が前記ユーザである場合、前記第２の制御方法を前記調理機器に実行させる、
請求項３記載の火力制御装置。
【請求項５】
前記制御部は、
前記第１の制御方法が実行された後、前記ユーザがキッチンにいることが検出された場合、前記ユーザがキッチンにいないことが検出されたときに前記調理機器で検出された第１の温度と、前記ユーザがキッチンにいることが検出されたときに前記調理機器で検出された第２の温度との差が所定の閾値以上であるか否かを判定し、
前記第１の温度と前記第２の温度との差が前記所定の閾値以上である場合、前記実行中の調理方法に対応して予め定められた火力よりも強い火力へ変更し、その後、前記調理機器で検出された温度が前記第１の温度に到達したら前記予め定められた火力に戻す第３の制御方法を前記調理機器に実行させる、
請求項１記載の火力制御装置。
【請求項６】
前記制御部は、
前記第１の制御方法が実行された後でキッチンにいることが検出された人物が前記ユーザであるか否かを判定し、
前記人物が前記ユーザではない場合、前記第１の制御方法を前記調理機器に実行させ、
前記人物が前記ユーザである場合、前記第３の制御方法を前記調理機器に実行させる、
請求項５記載の火力制御装置。
【請求項７】
前記制御部は、
実行中の調理方法が開始されたときの火力と、前記実行中の調理方法に対応して予め定められた火力とが一致しない場合、前記予め定められた火力に変更する制御方法を前記調理機器に実行させる、
請求項１記載の火力制御装置。
【請求項８】
調理機器を使用するユーザが所定時間キッチンにいないことを検出する検出ステップと、
前記調理機器が食材を加熱する調理方法を実行中に前記ユーザが第１の所定時間キッチンにいないことが検出された場合、記憶部から、食材を加熱する調理方法ごとに、前記調理機器の火力を減少させる制御方法を示す制御方法情報を読み出し、前記制御方法情報に示される制御方法の中から、前記調理機器で実行中の調理方法に対応する第１の制御方法を決定し、当該第１の制御方法を前記調理機器に実行させる第１の制御ステップと、
前記ユーザがキッチンにいないことが検出された後の第２の所定時間内にキッチンにいることが検出された人物が前記ユーザであるか否かを判定し、前記人物が前記ユーザではない場合、前記第１の制御方法を前記調理機器に実行させ、前記人物が前記ユーザである場合、前記第１の制御方法を前記調理機器に実行させない第２の制御ステップと、を有する、
火力制御方法。
【請求項９】
調理機器を使用するユーザが所定時間キッチンにいないことを検出する検出処理と、
前記調理機器が食材を加熱する調理方法を実行中に前記ユーザが第１の所定時間キッチンにいないことが検出された場合、記憶部から、食材を加熱する調理方法ごとに、前記調理機器の火力を減少させる制御方法を示す制御方法情報を読み出し、前記制御方法情報に示される制御方法の中から、前記調理機器で実行中の調理方法に対応する第１の制御方法を決定し、当該第１の制御方法を前記調理機器に実行させる第１の制御処理と、
前記ユーザがキッチンにいないことが検出された後の第２の所定時間内にキッチンにいることが検出された人物が前記ユーザであるか否かを判定し、前記人物が前記ユーザではない場合、前記第１の制御方法を前記調理機器に実行させ、前記人物が前記ユーザである場合、前記第１の制御方法を前記調理機器に実行させない第２の制御処理と、をコンピュータに実行させる、
コンピュータプログラム。
【発明の詳細な説明】
【技術分野】
【０００１】
本発明は、調理機器の火力を制御する火力制御装置、火力制御方法およびコンピュータプログラムに関する。
【背景技術】
【０００２】
例えば特許文献１には、加熱調理中にユーザ（調理者）がキッチンを離れ、所定時間内にキッチンに戻らない場合に、調理機器の火を止める技術が提案されている。これにより、加熱調理中にユーザがキッチンを離れたことによって生じる火災を防止できるとしている。
【先行技術文献】
【特許文献】
【０００３】
【特許文献１】特開２０１０−１４３７２号公報
【発明の概要】
【発明が解決しようとする課題】
【０００４】
しかしながら、特許文献１の技術では、加熱方法（食材を加熱する調理方法。例えば、揚げる、炒める等）に関わらず火が止まるので、利便性が悪いという課題がある。
【０００５】
本発明の目的は、ユーザがキッチンを離れた場合、実行中の加熱方法に応じて火力を調整できる火力制御装置、火力制御方法およびコンピュータプログラムを提供することである。
【課題を解決するための手段】
【０００６】
本発明の一態様に係る火力制御装置は、食材を加熱する調理方法ごとに、調理機器の火力を減少させる制御方法を示す制御方法情報を記憶する記憶部と、前記調理機器が食材を加熱する調理方法を実行中に前記調理機器を使用するユーザが第１の所定時間キッチンにいないことが検出された場合、前記記憶部から前記制御方法情報を読み出し、前記制御方法情報により示される制御方法の中から、前記調理機器で実行中の調理方法に対応する第１の制御方法を決定し、当該第１の制御方法を前記調理機器に実行させる制御部と、を備え、前記制御部は、前記ユーザがキッチンにいないことが検出された後の第２の所定時間内にキッチンにいることが検出された人物が前記ユーザであるか否かを判定し、前記人物が前記ユーザではない場合、前記第１の制御方法を前記調理機器に実行させ、前記人物が前記ユーザである場合、前記第１の制御方法を前記調理機器に実行させない構成を採る。
【０００７】
本発明の一態様に係る火力制御方法は、調理機器を使用するユーザが所定時間キッチンにいないことを検出する検出ステップと、前記調理機器が食材を加熱する調理方法を実行中に前記ユーザが第１の所定時間キッチンにいないことが検出された場合、記憶部から、食材を加熱する調理方法ごとに、前記調理機器の火力を減少させる制御方法を示す制御方法情報を読み出し、前記制御方法情報に示される制御方法の中から、前記調理機器で実行中の調理方法に対応する第１の制御方法を決定し、当該第１の制御方法を前記調理機器に実行させる第１の制御ステップと、前記ユーザがキッチンにいないことが検出された後の第２の所定時間内にキッチンにいることが検出された人物が前記ユーザであるか否かを判定し、前記人物が前記ユーザではない場合、前記第１の制御方法を前記調理機器に実行させ、前記人物が前記ユーザである場合、前記第１の制御方法を前記調理機器に実行させない第２の制御ステップと、を有するようにした。
【０００８】
本発明の一態様に係るコンピュータプログラムは、調理機器を使用するユーザが所定時間キッチンにいないことを検出する検出処理と、前記調理機器が食材を加熱する調理方法を実行中に前記ユーザが第１の所定時間キッチンにいないことが検出された場合、記憶部から、食材を加熱する調理方法ごとに、前記調理機器の火力を減少させる制御方法を示す制御方法情報を読み出し、前記制御方法情報に示される制御方法の中から、前記調理機器で実行中の調理方法に対応する第１の制御方法を決定し、当該第１の制御方法を前記調理機器に実行させる第１の制御処理と、前記ユーザがキッチンにいないことが検出された後の第２の所定時間内にキッチンにいることが検出された人物が前記ユーザであるか否かを判定し、前記人物が前記ユーザではない場合、前記第１の制御方法を前記調理機器に実行させ、前記人物が前記ユーザである場合、前記第１の制御方法を前記調理機器に実行させない第２の制御処理と、をコンピュータに実行させるようにした。
【発明の効果】
【０００９】
本発明によれば、ユーザがキッチンを離れた場合、実行中の加熱方法に応じて火力を調整できる。
【図面の簡単な説明】
【００１０】
【図１】本発明の実施の形態に係る火力制御システムの構成の一例を示すブロック図
【図２】本発明の実施の形態に係るレシピ情報の一例を示す図
【図３】本発明の実施の形態に係る制御方法情報の一例を示す図
【図４】本発明の実施の形態に係る火力制御システムの動作の一例を示すフローチャート
【図５】本発明の実施の形態に係る火力制御システムの各装置の機能をソフトウェアにより実現するコンピュータのハードウェア構成の一例を示す図
【発明を実施するための形態】
【００１１】
以下、本発明の実施の形態について、図面を参照して詳細に説明する。
【００１２】
本実施の形態に係る火力制御システムの構成について図１を用いて説明する。図１は、本実施の形態に係る火力制御システムの構成の一例を示すブロック図である。図１に示すように、火力制御システムは、端末１００（本発明の火力制御装置の一例）、調理機器２００、人感センサ３００を有する。
【００１３】
図１において、端末１００と調理機器２００は、例えば、無線ネットワークを介して接続される。また、端末１００と人感センサ３００は、例えば、無線ネットワーク、有線ネットワーク、または、無線ネットワークと有線ネットワークとが混在したネットワークのいずれかを介して接続される。なお、上述した無線ネットワークで用いられる通信方式は、例えば、公知の近距離無線通信方式である。
【００１４】
まず、端末１００の構成について説明する。
【００１５】
端末１００は、例えば、スマートフォン、タブレットなどの情報処理装置である。端末１００は、入力部１０、出力部１１、記憶部１２、通信部１３、制御部１４を備える。
【００１６】
入力部１０は、ユーザの操作を受け付ける、ボタン、タッチパネルなどの入力デバイスである。
【００１７】
出力部１１は、ディスプレイなどの表示デバイス、または、スピーカなどの音声出力デバイスである。
【００１８】
例えば、出力部１１は、調理工程画像を画面に表示する。調理工程画像とは、レシピの調理工程に対応する画像である。調理工程画像は、例えば、調理工程の具体例が文字、図形、記号、写真等により示される画像である。本実施の形態では、所定のレシピは複数の調理工程を含むものとする。よって、調理工程画像は、各調理工程に対応して予め用意されている。また、各調理工程画像が端末１００の画面に表示される順番は、調理工程の順番に対応して予め定められている。ユーザは、調理工程画像の画面表示を見て、レシピの調理を進める。
【００１９】
記憶部１２は、メモリまたはハードディスクなどの記憶デバイスである。
【００２０】
例えば、記憶部１２は、上述した調理工程画像の情報（以下、調理工程画像情報という）を記憶する。
【００２１】
また、例えば、記憶部１２は、レシピ情報を記憶する。レシピ情報とは、レシピの内容を示す情報である。
【００２２】
ここで、図２を用いてレシピ情報の一例について説明する。図２は、レシピ情報の一例を示す図である。図２では例として、レシピ名「カレー」について３つの調理工程が示されている。各調理工程には、それぞれ、調理条件として、調理方法、所要時間、火力が定められている。
【００２３】
調理方法は、調理工程で実行される調理方法である。所要時間は、調理工程の実行にかかる時間である。火力は、調理工程が加熱工程である場合に用いられる火力である。図２では例として、第１調理工程は非加熱工程、第２調理工程および第３調理工程は加熱工程としている。これら調理方法、所要時間、火力を示す情報を以下「調理条件情報」という。なお、調理条件情報は、上述した調理方法、所要時間、および火力の情報以外に、例えば、使用される食材の名称、食材の量などの情報を含んでもよい。
【００２４】
以上、レシピ情報の一例について説明した。
【００２５】
また、例えば、記憶部１２は、制御方法情報を記憶する。制御方法情報とは、調理機器２００において行われる制御方法を示す情報である。
【００２６】
ここで、図３を用いて制御方法情報の一例について説明する。図３は、制御方法情報の一例を示す図である。図３では例として、加熱方法ごとに制御方法が定められている。加熱方法は、食材を加熱する調理方法であり、例えば、煮る、蒸す、炒める、焼く、揚げるなどである。制御方法は、調理機器２００において実行される火力の制御方法である。図３の制御方法情報では、加熱方法が「煮る」または「蒸す」の場合、弱火にする制御方法が定められている。また、加熱方法が「炒める」または「焼く」の場合、弱火にし、一定時間経過後に火を止める制御方法が定められている。また、加熱方法が「揚げる」の場合、火を止める制御方法が定められている。
【００２７】
以上、制御方法情報の一例について説明した。
【００２８】
なお、上記調理工程画像情報、レシピ情報、または制御方法情報は、図示しないサーバ装置から取得したものでもよいし、端末１００が予め保持するものでもよい。以下、端末１００の構成例の説明に戻る。
【００２９】
通信部１３は、他の装置と通信する通信インターフェースである。
【００３０】
例えば、通信部１３は、人感センサ３００から検出情報を受信する。検出情報とは、人感センサ３００の検出結果を示す情報である。人感センサ３００は、例えば、キッチンにユーザがいるか否かを検出するセンサであり、例えば、赤外線センサ、キッチンマットに内蔵される圧力センサなどである。なお、図１では例として、人感センサ３００を端末１００の外部に備える構成としたが、人感センサ３００は端末１００の内部に備えられてもよい。
【００３１】
本実施の形態では、通信部１３は、ユーザがキッチンにいないことを示す第１検出情報、または、ユーザがキッチンにいることを示す第２検出情報のいずれかを受信する。
【００３２】
また、例えば、通信部１３は、制御部１４により生成された火力制御情報（詳細は後述）を調理機器２００へ送信する。
【００３３】
制御部１４は、プロセッサなどの制御デバイスである。
【００３４】
例えば、制御部１４は、記憶部１２から所定の調理工程画像情報を読み出し、その調理工程画像情報に基づいて調理工程画像を出力するように出力部１１を制御する。この制御により、出力部１１では、所定の調理工程画像が画面に表示される。
【００３５】
また、例えば、制御部１４は、所定の調理工程画像を出力するように出力部１１を制御した場合、その調理工程画像に示される調理工程（すなわち、実行中の調理工程）の調理条件情報を記憶部１２から読み出す。
【００３６】
また、例えば、制御部１４は、通信部１３により第１検出情報が受信された場合、時間の計測を開始する。
【００３７】
また、例えば、制御部１４は、通信部１３により第１検出情報が受信された場合、記憶部１２から読み出した調理条件情報に基づいて、実行中の調理工程が加熱工程であるか否かを判定する（以下、第１の判定という）。例えば、制御部１４は、調理条件情報に含まれる調理方法を示す情報が「煮る」、「蒸す」、「炒める」、「焼く」、「揚げる」のいずれかである場合、実行中の調理工程が加熱工程であると判定する。
【００３８】
また、例えば、制御部１４は、第１の判定において実行中の調理工程が加熱工程であると判定した場合、第１検出情報の受信から一定時間内に通信部１３により第２検出情報が受信されたか否かを判定する（以下、第２の判定という）。ここでいう一定時間は、例えば、３秒である。
【００３９】
また、例えば、制御部１４は、第２の判定において一定時間内に第２検出情報が受信されなかったと判定した場合、火力制御情報を生成する。例えば、制御部１４は、記憶部１２から図３の制御方法情報を読み出し、その制御方法情報において、実行中の加熱方法（煮る、蒸す、炒める、焼く、揚げる）に対応付けられている制御方法を特定する。そして、制御部１４は、特定した制御方法の実行を指示する火力制御情報を生成する。そして、制御部１４は、火力制御情報を調理機器２００へ送信するように通信部１３を制御する。これにより、火力制御情報は、調理機器２００へ送信される。
【００４０】
次に、調理機器２００の構成について説明する。
【００４１】
調理機器２００は、例えば、ＩＨ（Induction Heating）調理器または電子レンジなどである。調理機器２００は、入力部２０、機能部２１、記憶部２２、通信部２３、制御部２４を備える。
【００４２】
入力部２０は、ユーザの操作を受け付ける、ボタン、タッチパネルなどの入力デバイスである。
【００４３】
例えば、入力部２０は、後述する機能部２１にその機能を発揮するように指示する操作を受付ける。例えば、入力部２０は、機能部２１の加熱機能における温度設定の操作を受け付ける。
【００４４】
機能部２１は、対象物（例えば、鍋、フライパンなどの調理器具、または食材）の状態に変更を加えるデバイスであり、例えば、ヒータなどの加熱デバイスである。
【００４５】
例えば、機能部２１は、後述する制御部２４によって制御されることで、調理器具の加熱を行う。
【００４６】
記憶部２２は、メモリまたはハードディスクなどの記憶デバイスである。
【００４７】
例えば、記憶部２２は、後述する通信部２３により受信された火力制御情報を記憶する。
【００４８】
通信部２３は、他の装置と通信する通信インターフェースである。
【００４９】
例えば、通信部２３は、端末１００から送信された火力制御情報を受信する。
【００５０】
制御部２４は、プロセッサなどの制御デバイスである。
【００５１】
例えば、制御部２４は、通信部２３により火力制御情報が受信された場合、その火力制御情報を記憶部２２に記憶させる。そして、制御部２４は、所定のタイミングで、記憶部２２から火力制御情報を読み出し、火力制御情報に基づいて機能部２１を制御する。例えば、制御部２４は、火力制御情報に示される制御方法（図３に示す制御方法のいずれか）を機能部２１に実行させる。
【００５２】
以上、本実施の形態に係る火力制御システムの構成について説明した。
【００５３】
次に、本実施の形態に係る火力制御システムの動作について図４を用いて説明する。図４は、本実施の形態に係る火力制御システムの動作の一例を示すフローチャートである。以下では例として、ユーザが図２に示す第２調理工程を実行する場合について説明する。
【００５４】
まず、端末１００の制御部１４は、第２調理工程に対応する調理工程画像情報を記憶部１２から読み出し、その調理工程画像情報に基づいて調理工程画像を出力するように出力部１１を制御する（ステップＳ１１）。この制御により、出力部１１では、第２調理工程の具体例を示す調理工程画像が画面に表示される。ユーザは、この画面表示を見て、調理機器２００において第２の調理工程を実行する。これにより、調理機器２００では、強火の加熱が行われる。
【００５５】
また、ステップＳ１１において、制御部１４は、第２調理工程の調理条件情報を記憶部１２から読み出す。例えば、図２のレシピ情報において、調理方法「炒める」、所要時間「２分」、火力「強火」をそれぞれ示す情報が調理条件情報として読み出される。
【００５６】
ここで、ユーザがキッチンを離れたことで、ユーザキッチンにいないことを人感センサ３００が検出した場合、通信部１３は、人感センサ３００から第１検出情報を受信する（ステップＳ１２）。
【００５７】
次に、制御部１４は、通信部１３により第１検出情報が受信された場合、時間の計測を開始するとともに、記憶部１２から読み出した調理条件情報に基づいて、第１の判定を行う。すなわち、制御部１４は、実行中の調理工程が加熱工程であるか否かを判定する（ステップＳ１３）。
【００５８】
第１の判定において実行中の調理工程が加熱工程ではないと判定された場合（ステップＳ１３：ＮＯ）、フローは終了する。一方、第１の判定において実行中の調理工程が加熱工程であると判定された場合（ステップＳ１３：ＹＥＳ）、フローはステップＳ１４へ進む。ここでは、制御部１４は、調理条件情報に含まれる調理方法を示す情報が「炒める」であるので、実行中の第２調理工程が加熱工程であると判定する（ステップＳ１３：ＹＥＳ）。よって、フローはステップＳ１４へ進む。
【００５９】
次に、制御部１４は、第２の判定を行う。すなわち、制御部１４は、第１検出情報の受信から一定時間（例えば、５秒）内に通信部１３により第２検出情報が受信されたか否かを判定する（ステップＳ１４）。
【００６０】
第２の判定において一定時間内に第２検出情報が受信された場合（ステップＳ１４：ＹＥＳ）、フローは終了する。一方、第２の判定において一定時間内に第２検出情報が受信されなかった場合（ステップＳ１４：ＮＯ）、フローはステップＳ１５へ進む。ここでは例として、ユーザが一定時間内にキッチンに戻らないことで、ユーザキッチンにいることを人感センサ３００が検出できず、通信部１３が第２検出情報を受信しなかったとする（ステップＳ１４：ＮＯ）。よって、フローはステップＳ１５へ進む。
【００６１】
次に、制御部１４は、火力制御情報を生成する（ステップＳ１５）。例えば、制御部１４は、記憶部１２から図３の制御方法情報を読み出し、その制御方法情報において、実行中の加熱方法「炒める」に対応付けられている制御方法「弱火にし、一定時間経過後にオフ」を特定する。ここでいう一定時間は、例えば、７秒である。次に、制御部１４は、特定した制御方法の実行を指示する火力制御情報を生成する。そして、制御部１４は、火力制御情報を調理機器２００へ送信するように通信部１３を制御する。
【００６２】
次に、通信部１３は、火力制御情報を調理機器２００へ送信する（ステップＳ１６）。
【００６３】
次に、調理機器２００の通信部２３は、端末１００から火力制御情報を受信する（ステップＳ１７）。
【００６４】
次に、制御部２４は、火力制御情報を記憶部２２に記憶させた後、所定のタイミングで、記憶部２２から火力制御情報を読み出し、火力制御情報に基づいて機能部２１の火力を制御する（ステップＳ１８）。例えば、制御部１４は、機能部２１の火力を強火から弱火に変更し、その変更から一定時間（例えば、７秒）経過後、火を止める。
【００６５】
このように本実施の形態によれば、ユーザがキッチンを離れた場合、実行中の加熱方法に応じて火力を調整できる。
【００６６】
以上、本発明の実施の形態について説明したが、本発明は上述した実施の形態に限定されるものではない。以下、本発明の実施の形態の変形例について説明する。
【００６７】
＜変形例１＞
例えば、第２の判定で用いられる一定時間は、例えば、図２のレシピ情報において調理条件として定められている所要時間であってもよい。この具体例について以下に説明する。
【００６８】
例えば、図４のステップＳ１１において、制御部１４は、記憶部１２から読み出した実行中の調理工程の調理条件情報に含まれる調理方法（加熱方法）の情報が「煮る」または「蒸す」を示す場合、第２の判定で用いる一定時間を、調理条件情報に含まれる所要時間に設定する。例えば、第３調理工程の調理条件情報が読み出された場合、所要時間「１５分」が第２の判定で用いられることになる。
【００６９】
このように本変形例によれば、例えば「煮る」または「蒸す」など、比較的長い時間の加熱が行われる加熱方法の場合、予め定められた所要時間の間、予め定められた制御方法（例えば、図３に示す「弱火」にする制御方法）を行わないようにし、調理が中断されないようにすることができる。
【００７０】
＜変形例２＞
例えば、所定の加熱工程が実行され、調理機器２００において予め定められた火力と異なる火力で調理が行われている場合、火力を変更するように制御してもよい。この具体例について以下に説明する。
【００７１】
例えば、ユーザにより所定の加熱工程が開始された際（例えば、図４のステップＳ１１における調理工程画像の表示後）、調理機器２００の制御部２４は、機能部２１における火力の状態（例えば、強火、中火、弱火のいずれか）を示す火力状態情報を生成し、端末１００へ送信する。制御部１４は、通信部１３により火力状態情報が受信されると、その火力状態情報が示す火力と、記憶部１２から読み出した調理条件情報に含まれる火力の情報が示す予め定められた火力とが一致するか否かを判定する。この判定の結果、２つの火力が一致しない場合、制御部１４は、予め定められた火力への変更を指示する火力制御情報を生成する。そして、この火力制御情報は、端末１００から調理機器２００へ送信される。調理機器２００の制御部２４は、通信部２３により火力制御情報が受信されると、その火力制御情報に基づいて機能部２１の火力を制御する。これにより、機能部２１における火力は、予め定められた火力に変更される。
【００７２】
このように本変形例によれば、例えばユーザが調理機器２００において火力を間違えて設定した場合でも、ユーザの操作によらず、適切な火力に変更することができる。
【００７３】
＜変形例３＞
例えば、火力制御情報の調理機器２００への送信後、キッチンを離れていたユーザがキッチンに戻ってきた場合、元の火力に戻す制御を行ってもよい。この具体例について以下に説明する。
【００７４】
例えば、第１検出情報が受信され（図４のステップＳ１２）、かつ、火力制御情報が調理機器２００へ送信された（図４のステップＳ１６）後において、通信部１３により第２検出情報が受信されたとする。この場合、制御部１４は、記憶部１２から読み出した調理条件情報に含まれる火力の情報が示す予め定められた火力に戻すように指示する火力制御情報を生成する。そして、この火力制御情報は、端末１００から調理機器２００へ送信される。調理機器２００の制御部２４は、通信部２３により火力制御情報が受信されると、その火力制御情報に基づいて機能部２１の火力を制御する。これにより、機能部２１における火力は、予め定められた火力に変更される。
【００７５】
このように本変形例によれば、ユーザがキッチンに戻ってきた場合、ユーザの操作によらず、適切な火力に変更することができる。
【００７６】
＜変形例４＞
例えば、火力制御情報の調理機器２００への送信後、キッチンを離れていたユーザがキッチンに戻ってきた場合、それまでに行われていた火力を弱めるまたは火を止める制御によって鍋などの調理器具の温度が下がっていることがありうる。そのような場合、ユーザがキッチンを離れた時点の温度に戻るまで火力を強めるように制御してもよい。この具体例について以下に説明する。
【００７７】
例えば、第１検出情報が受信された場合（図４のステップＳ１２）、端末１００の通信部１３は、火力制御情報とともに、調理器具の温度を示す温度情報の送信を要求する要求情報を調理機器２００へ送信する。
【００７８】
次に、調理機器２００の制御部２４は、通信部２３により火力制御情報および要求情報が受信されると、図示しない温度センサにより検出された温度情報（以下、第１温度情報という）を取得し、火力制御情報（例えば、中火から弱火への変更を指示する情報）に基づいて機能部２１を制御する。そして、通信部２３は、第１温度情報を端末１００へ送信する。
【００７９】
次に、端末１００の制御部１４は、通信部１３により受信された第１温度情報を記憶部１２に記憶させる。その後、通信部１３により第２検出情報が受信されると、通信部１３は、再び要求情報を調理機器２００へ送信する。この要求情報を受信した調理機器２００は、上記同様、温度情報（以下、第２温度情報という）を端末１００へ送信する。
【００８０】
次に、端末１００の制御部１４は、通信部１３により受信された第２温度情報を記憶部１２に記憶させる。そして、制御部１４は、所定のタイミングで、第１温度情報および第２温度情報を記憶部１２から読み出し、第２温度情報の温度と第１温度情報の温度との差が所定の閾値以上であるか否かを判定する。
【００８１】
上記判定の結果、第２温度情報の温度と第１温度情報の温度との差が所定の閾値以上である場合、制御部１４は、火力制御情報を生成する。例えば、制御部１４は、記憶部１２から読み出した調理条件情報に含まれる火力の情報が示す予め定められた火力（例えば、中火）よりも強い火力（強火）へ変更し、その後、第１温度情報の温度に到達したら上記火力の情報が示す予め定められた火力（例えば、中火）に変更するように指示する火力制御情報を生成する。そして、この火力制御情報は、端末１００から調理機器２００へ送信される。
【００８２】
調理機器２００の制御部２４は、通信部２３により火力制御情報が受信されると、その火力制御情報に基づいて機能部２１の火力を制御する。これにより、機能部２１における火力は、それまでの弱火から強火に変更され、その後、温度センサにより第１温度情報の温度が検出された時点で中火に変更される。
【００８３】
このように本変形例によれば、ユーザがキッチンを離れた際の調理器具の温度とユーザがキッチンに戻ってきた際の調理器具の温度との差が所定の閾値以上である場合には、短時間でユーザがキッチンを離れたときの調理器具の温度に戻すことができ、ユーザがスムーズに調理を進めることができる。
【００８４】
＜変形例５＞
例えば、火力制御情報に基づいて所定の制御方法が行われる場合、その制御方法の内容を示す情報（以下、報知情報という）を端末１００が出力するようにしてもよい。この具体例について以下に説明する。
【００８５】
例えば、火力制御情報に基づいて中火から弱火にする制御方法が行われる場合、端末１００の制御部１４は、報知情報として、中火から弱火に変更した旨を示す画像および音声の少なくとも一方を出力するように出力部１１を制御する。この報知情報の出力は、例えば、火力制御情報の調理機器２００への送信時だけ行われてもよいし、または、火力制御情報の調理機器２００への送信時から第２検出情報の受信時までの間行われてもよい。
【００８６】
なお、上記説明では、端末１００が報知情報の出力を行う場合としたが、調理機器２００において上記報知情報の出力が行われてもよい。この場合、調理機器２００の制御部２４は、端末１００から受信した報知情報を出力するように調理機器２００の出力部（図示せず）を制御する。
【００８７】
このように本変形例によれば、ユーザがキッチンを離れる際またはキッチンに戻ってきた際に、火力の変更が行われたことを認識できる。
【００８８】
＜変形例６＞
上記実施の形態では、端末１００は出力中の調理工程画像に対応するレシピ情報（例えば、図２参照）に基づいて調理機器２００で実行中の加熱方法を特定する場合について説明したが、その特定方法は、これに限定されない。例えば、調理機器２００が複数の加熱モード（加熱方法の種類に応じて動作するモード。例えば、「煮る」を行うモード、「蒸す」を行うモード等）を有する場合、端末１００は、調理機器２００において加熱方法が開始された際に、調理機器２００から加熱モードを示す情報を受信し、その情報が示す加熱モードに基づいて調理機器２００で実行中の加熱方法を特定してもよい。
【００８９】
＜変形例７＞
上記実施の形態では、キッチンにユーザがいるか否かを検出する手段（以下、ユーザ検出手段）として人感センサ３００を用いる構成としたが、これに限定されない。以下、ユーザ検出手段のその他の例について説明する。
【００９０】
例えば、キッチン全体を撮影可能なカメラと、そのカメラで撮影された画像に対して画像解析を行い、ユーザがキッチンにいるか否かを認識する画像処理装置とを用いてもよい。この場合、カメラおよび画像処理装置はともに、端末１００の外部に備えられてもよいし、または、端末１００の内部に備えられてもよい。あるいは、カメラは端末１００の外部に備えられ、画像処理装置は端末１００の内部に備えられてもよい。なお、画像処理装置が端末１００の外部に備えられる場合、その画像処理装置は、画像認識の結果を示す情報（検出情報の一例）を端末１００へ送信する機能を備えるものとする。
【００９１】
また、例えば、ユーザに携帯され、ユーザの識別情報が記憶されたタグと、そのタグから近距離無線通信により識別情報を取得するリーダとを用いてもよい。このような技術としては、例えば、ＲＦＩＤ（Radio Frequency IDentifier）がある。リーダは、端末１００の外部に備えられてもよいし、または、端末１００の内部に備えられてもよい。なお、リーダが端末１００の外部に備えられる場合、そのリーダは、タグから取得した識別情報を端末１００へ送信する機能を備えるものとする。
【００９２】
そして、端末１００の制御部１４は、通信部１３により外部のリーダからの識別情報が受信されている間、または、端末１００に内蔵されたリーダにより識別情報が取得されている間は、ユーザがキッチンにいると判定する。そして、制御部１４は、上記実施の形態で説明した第２検出情報の受信時と同様の処理動作を行う。
【００９３】
一方、制御部１４は、通信部１３により外部のリーダからの識別情報が受信されていない間、または、端末１００に内蔵されたリーダにより識別情報が取得されていない間は、ユーザがキッチンを離れたと判定する。そして、制御部１４は、上記実施の形態で説明した第１検出情報の受信時と同様の処理動作を行う。
【００９４】
なお、上記において、屋内測位技術を用いてもよい。例えば、タグから取得された識別情報を基に計測されたユーザの位置を示す情報と、予め定められたキッチンの位置（領域でもよい）を示す情報とに基づいて、ユーザがキッチンにいるか否かが判定されてもよい。この判定は、例えば、上記リーダで行われてもよいし、端末１００の制御部１４により行われてもよい。
【００９５】
また、例えば、ユーザの識別情報が記憶された人体通信モジュールを内蔵した調理器具と、端末１００との間で近距離無線通信が可能な送信装置とを用いてもよい。この場合、ユーザが調理器具に触れることで、人体通信モジュールから送信装置へ識別情報が送信される。そして、送信装置は、人体通信モジュールから受信した識別情報を、端末１００へ送信する。
【００９６】
そして、端末１００の制御部１４は、通信部１３により送信装置からの識別情報が受信されている場合、ユーザがキッチンにいると判定する。そして、制御部１４は、上記実施の形態で説明した第２検出情報の受信時と同様の処理動作を行う。
【００９７】
一方、制御部１４は、通信部１３により送信装置からの識別情報が受信されなくなった場合、ユーザがキッチンを離れたと判定する。そして、制御部１４は、上記実施の形態で説明した第１検出情報の受信時と同様の処理動作を行う。
【００９８】
また、例えば、調理中に発生する音（例えば、包丁を使用する音、水が流れる音など）またはユーザの声を入力するマイクと、マイクに入力された音に対して音認識または音声認識を行い、ユーザがキッチンにいるか否かを認識する音認識装置または音声認識装置とを用いてもよい。この場合、カメラおよび音声処理装置はともに、端末１００の外部に備えられてもよいし、または、端末１００の内部に備えられてもよい。あるいは、マイクは端末１００の外部に備えられ、音声処理装置は端末１００の内部に備えられてもよい。なお、音声処理装置が端末１００の外部に備えられる場合、その音声処理装置は、音声認識の結果を示す情報（検出情報の一例）を端末１００へ送信する機能を備えるものとする。
【００９９】
以上、ユーザ検出手段のその他の例について説明した。なお、上述した各ユーザ検出手段、人感センサ３００を適宜組み合わせることで、より精度の高い検出を実現するようにしてもよい。
【０１００】
＜変形例８＞
端末１００の制御部１４は、キッチンに戻ってきた人物がキッチンを離れた人物と同一であるか否かを判定してもよい。この場合では、上記変形例７で説明した、カメラと画像処理装置の組み合わせまたはタグとリーダの組み合わせを用いることができる。前者の場合、ユーザがキッチンを離れたときに撮影された画像の解析結果（例えば、顔認証等）と、ユーザがキッチンに戻ってきたときに撮影された画像の解析結果とが同じである場合に、両者（キッチンを離れた人物とキッチンに戻ってきた人物）は同一人物であると判定される。後者の場合、ユーザがキッチンを離れたときに取得された識別情報と、ユーザがキッチンに戻ってきたときに取得された識別情報とが同じである場合に、両者は同一人物であると判定される。
【０１０１】
そして、例えば、制御部１４は、第１検出情報の受信時から一定時間内（例えば、図４のステップＳ１２〜Ｓ１４の間）に上記判定を行った場合、以下のように動作する。例えば、両者が同一人物であると判定した場合、制御部１４は、火力を減少させる制御方法を示す火力制御情報の生成（例えば、図４のステップＳ１５）を実行しない。すなわち、この場合、ユーザがキッチンを離れたときの火力が維持されることになる。キッチンに戻ってきた人物がユーザ本人であれば、火力を維持したとしても、危険性は少ないと考えられるためである。一方、例えば、両者が同一人物ではないと判定した場合、制御部１４は、火力を減少させる制御方法を示す火力制御情報の生成（例えば、図４のステップＳ１５）を実行する。すなわち、この場合、ユーザがキッチンを離れたときの火力は減少することになる。
【０１０２】
また、例えば、制御部１４は、火力を減少させる制御方法を示す火力制御情報の生成（例えば、図４のステップＳ１５）後に上記判定を行った場合、以下のように動作する。例えば、両者が同一人物であると判定した場合、火力を元に戻す制御方法（例えば、変形例３、４で説明した制御方法）を示す火力制御情報の生成を実行する。すなわち、この場合、火力を減少させる制御方法により減少していた火力は予め定められた火力に戻ることになる。キッチンに戻ってきた人物がユーザ本人であれば、火力を戻したとしても、危険性は少ないと考えられるためである。一方、例えば、両者が同一人物ではないと判定した場合、制御部１４は、火力を元に戻す制御方法（例えば、変形例３、４で説明した制御方法）を示す火力制御情報の生成を中止する。すなわち、この場合、火力を減少させる制御方法の実行が維持される。
【０１０３】
このように本変形例によれば、ユーザ以外の人物がキッチンに入って来たとしても、実施の形態で説明した火力を減少させる制御が実行されなくなったり、変形例３、４で説明した火力を元に戻す制御が実行されたりしない。
【０１０４】
なお、上記説明では、キッチンに戻ってきた人物がキッチンを離れた人物と同一であるか否かを判定したが、キッチンに入って来た人物が予め登録された調理者であるか否かを判定してもよい。ここでいう調理者とは、キッチンを離れたユーザ以外の人物であり、調理を引き継いで行う者（例えば、夫婦）である。なお、ここでの判定も、上記説明と同様に、カメラと画像処理装置の組み合わせ、または、タグとリーダの組み合わせを用いることで実現できる。
【０１０５】
例えば、制御部１４は、第１検出情報の受信時から一定時間内（例えば、図４のステップＳ１２〜Ｓ１４の間）に上記判定を行った場合、以下のように動作する。例えば、キッチンに入って来た人物が予め登録された調理者であると判定した場合、制御部１４は、火力を減少させる制御方法を示す火力制御情報の生成（例えば、図４のステップＳ１５）を実行しない。一方、例えば、キッチンに入って来た人物が予め登録された調理者ではないと判定した場合、制御部１４は、火力を減少させる制御方法を示す火力制御情報の生成（例えば、図４のステップＳ１５）を実行する。
【０１０６】
また、例えば、制御部１４は、火力を減少させる制御方法を示す火力制御情報の生成（例えば、図４のステップＳ１５）後に上記判定を行った場合、以下のように動作する。例えば、キッチンに入って来た人物が予め登録された調理者であると判定した場合、火力を元に戻す制御方法（例えば、変形例３、４で説明した制御方法）を示す火力制御情報の生成を実行する。なお、この場合では、火力を元に戻す旨の音声または画像を出力した上で火力を元に戻してもよい。あるいは、より安全のため、「調理を引き継ぎますか」という旨の音声または画像を出力し、調理者による引き継ぎを承認する旨の操作を受け付けた場合に火力を元に戻してもよい。一方、例えば、キッチンに入って来た人物が予め登録された調理者ではないと判定した場合、制御部１４は、火力を元に戻す制御方法（例えば、変形例３、４で説明した制御方法）を示す火力制御情報の生成を中止する。
【０１０７】
また、上記説明では、キッチンに戻ってきた人物がキッチンを離れた人物と同一であるか否かを判定したが、キッチンに入って来た人物が子供であるか否かを判定してもよい。例えば、制御部１４は、赤外センサによる検知結果または画像処理装置による画像の解析結果に基づいてキッチンに入って来た人物の身長を推測し、推定した身長が閾値以下の場合に、その人物が子供であると判定する。
【０１０８】
そして、例えば、第１検出情報の受信時から一定時間内（例えば、図４のステップＳ１２〜Ｓ１４の間）、または、火力を減少させる制御方法を示す火力制御情報の生成（例えば、図４のステップＳ１５）後のいずれかにおいて、制御部１４は、キッチンに入って来た人物が子供であると判定した場合、アラーム音を出力するとともに、全ての加熱を停止するように制御する。
【０１０９】
＜変形例９＞
上記実施の形態では、端末１００と調理機器２００とが通信を行うことで火力制御を実現する場合について説明したが、調理機器２００の記憶部２２、通信部２３、制御部２４のそれぞれにおいて上述した端末１００の記憶部１２、通信部１３、制御部１４の機能を実現するように構成してもよい。この場合、例えば、記憶部２２は、図２のレシピ情報および図３の制御方法情報を記憶する。また、例えば、通信部２３は、人感センサ３００から検出情報を受信する。また、例えば、制御部２４は、調理工程画像の出力処理（出力先は、図示しない調理機器２００の出力部でもよいし、端末１００の出力部１１であってもよい）、火力制御情報の生成処理などを行う。
【０１１０】
以上、本発明に係る実施の形態の変形例を説明した。なお、上記変形例は任意に組み合わせてもよい。
【０１１１】
＜コンピュータプログラムによる実現例＞
以上、本発明に係る実施の形態および変形例について図面を参照して詳述してきたが、上述した端末１００および調理機器２００（以下、各装置という）等の各機能は、コンピュータプログラムにより実現され得る。
【０１１２】
図５は、各部の機能をプログラムにより実現するコンピュータのハードウェア構成を示す図である。このコンピュータ１０００は、入力ボタン、タッチパッドなどの入力装置１００１、ディスプレイ、スピーカなどの出力装置１００２、ＣＰＵ（Central Processing Unit）１００３、ＲＯＭ（Read Only Memory）１００４、ＲＡＭ（Random Access Memory）１００５を備える。また、コンピュータ１０００は、ハードディスク装置、ＳＳＤ（Solid State Drive）などの記憶装置１００６、ＤＶＤ−ＲＯＭ（Digital Versatile Disk Read Only Memory）、ＵＳＢ（Universal Serial Bus）メモリなどの記録媒体から情報を読み取る読取装置１００７、ネットワークを介して通信を行う送受信装置１００８を備える。上述した各部は、バス１００９により接続される。
【０１１３】
そして、読取装置１００７は、上記各部の機能を実現するためのプログラムを記録した記録媒体からそのプログラムを読み取り、記憶装置１００６に記憶させる。あるいは、送受信装置１００８が、ネットワークに接続されたサーバ装置と通信を行い、サーバ装置からダウンロードした上記各部の機能を実現するためのプログラムを記憶装置１００６に記憶させる。
【０１１４】
そして、ＣＰＵ１００３が、記憶装置１００６に記憶されたプログラムをＲＡＭ１００５にコピーし、そのプログラムに含まれる命令をＲＡＭ１００５から順次読み出して実行することにより、上記各部の機能が実現される。また、プログラムを実行する際、ＲＡＭ１００５または記憶装置１００６には、各実施の形態で述べた各種処理で得られた情報が記憶され、適宜利用される。
【産業上の利用可能性】
【０１１５】
本発明は、調理機器の火力を制御する火力制御装置、火力制御方法およびコンピュータプログラムに用いるのに好適である。
【符号の説明】
【０１１６】
１０  入力部
１１  出力部
１２  記憶部
１３  通信部
１４  制御部
２０  入力部
２１  機能部
２２  記憶部
２３  通信部
２４  制御部
１００  端末
２００  調理機器
３００  人感センサ
１０００  コンピュータ
１００１  入力装置
１００２  出力装置
１００３  ＣＰＵ（Central Processing Unit）
１００４  ＲＯＭ（Read Only Memory）
１００５  ＲＡＭ（Random Access Memory）
１００６  記憶装置
１００７  読取装置
１００８  送受信装置
１００９  バス
【図１】
0006503161.tif 000002
【図２】
0006503161.tif 000003
【図３】
0006503161.tif 000004
【図４】
0006503161.tif 000005
【図５】
0006503161.tif 000006